(57)【要約】【課題】回転操作や上下操作または傾動操作が可能な操作軸を有する操作部品の操作軸の周囲を防水する操作部品の操作軸の防水構造を提供する【解決手段】回転操作の他に上下操作または傾動操作が可能な操作軸３ａを有する操作部品３の操作軸３ａの防水構造において、前記操作軸３ａに係合される操作つまみ５と水密に圧接されるシール部７ｄが設けられた内周部７ａと、前記操作部品３を内包するケース部材２に水密に固定される外周部７ｂと、前記内周部７ａと外周部７ｂを可動に連結する可撓部７ｃからなるゴム弾性部材７により前記操作軸３ａを挿通させる前記ケース部材２の穴２ａを防水する。【選択図】図１
2010160992.tif 000002
【特許請求の範囲】
【請求項１】
回転操作の他に上下操作または傾動操作が可能な操作軸を有する操作部品の操作軸の防水構造において、前記操作軸に係合される操作つまみと水密に圧接されるシール部が設けられた内周部と、前記操作部品を内包するケース部材に水密に固定される外周部と、前記内周部と外周部を可動に連結する可撓部からなるゴム弾性部材により前記操作軸を挿通させる前記ケース部材の穴を防水することを特徴とする操作部品の操作軸の防水構造。
【請求項２】
前記内周部は厚肉の剛体部の内周にリブ形状のシール部が突出形成された形状であり、前記剛体部は前記操作軸と操作軸に係合される操作つまみにより回転可能に保持されて、操作軸と一体となって上下動または傾動が行われるように構成された請求項１の操作部品の操作軸の防水構造。
【請求項３】
前記剛体部の内壁に形成された溝にガイドリングが嵌合しており、前記操作軸は先端小径部と基端大径部との段差を有し、前記先端小径部が前記ガイドリングの中心穴を挿通し、前記段差と操作つまみにより前記ガイドリングを回転自在に挾持した請求項２の操作部品の操作軸の防水構造。
【請求項４】
前記基端大径部の周囲に配置されたばねにより前記剛体部が自然位置に付勢される請求項３の操作軸の防水構造。
【請求項５】
前記操作軸は先端小径部と基端大径部との段差を有し、前記剛体部は前記先端小径部を挿通させ、前記段差と操作つまみにより前記剛体部を回転自在に挾持した請求項２の操作部品の操作軸の防水構造。
【請求項６】
前記可撓部には放射方向断面Ｖ字形状部が形成されている請求項１から５のいずれかに記載した操作部品の操作軸の防水構造。
【請求項７】
前記可撓部には放射方向断面Ｕ字形または波形が形成されている請求項１から５のいずれかに記載した操作部品の操作軸の防水構造。
【発明の詳細な説明】
【技術分野】
【０００１】
この発明は操作部品の操作軸の防水構造に係わり、特に、操作軸の回転操作や傾動操作または上下動操作が可能な操作部品の操作軸の防水構造に関する。
【背景技術】
【０００２】
従来の特開２００８−４７４２１号公報に開示された回転操作軸の防水構造では、特開２００８−４７４２１号公報の図２５に示すように、シャーシ２２の開口の縁に押えリングリング６０で押えられて固定された操作部材３３の挿通孔３７の縁を上下の保持リング７１、７５が挾持するようにして、上下の保持リング７１、７５がビス７７で締着されている。そして、上側の保持リング７１の段部７３に装着されたＯリング７４によって回転操作軸４５の周囲の防水性能が得られる。
【０００３】
上記特開２００８−４７４２１号公報に開示された回転操作軸の防水構造では、回転操作軸４５の周囲に密接するＯリング７４は保持リング７１、７５により保持されており、保持リング７１、７５はシャーシ２２に対して固定されているので、Ｏリング７４はシャーシ２２との相対移動が不可能である。
【０００４】
このＯリング７４はエンコーダの回転操作軸の回転に対する摩擦抵抗は小さいが、回転操作軸がシャーシに対して上下動するときの摩擦抵抗は大きい。従って、回転操作軸を回転操作の他に上下動させてエンコーダを作動させると、回転操作軸がＯリングとの摩擦によりスタックしやすく、回転操作軸の自然位置への復帰力を極めて大きくしなければならず、操作するために大きい力を必要として操作しにくくなるという問題があった。また、Ｏリング７４はシャーシ２２との相対移動が不可能であるため、回転操作軸を傾動動作させることは不可能である。
【先行技術文献】
【特許文献】
【０００５】
【特許文献１】特開２００８−４７４２１号公報、段落００３４〜段落００３６、図２５
【発明の概要】
【発明が解決しようとする課題】
【０００６】
この発明は上記した点に鑑みてなされたものであって、その目的とするところは、回転操作や上下動作または傾動動作が可能な操作軸を有する操作部品の操作軸の周囲を防水する操作部品の操作軸の防水構造を提供することにある。
【課題を解決するための手段】
【０００７】
この発明の操作部品の操作軸の防水構造は、回転操作や上下操作または傾動操作が可能な操作軸を有する操作部品の操作軸の防水構造において、前記操作軸に係合される操作つまみと水密に圧接されるシール部が設けられた内周部と、前記操作部品を内包するケース部材に水密に固定される外周部と、前記内周部と外周部を可動に連結する可撓部からなるゴム弾性部材により前記操作軸を挿通させる前記ケース部材の穴を防水するものである。
【０００８】
また、前記操作部品の操作軸の防水構造において、前記内周部は厚肉の剛体部の内周にリブ形状のシール部が突出形成された形状であり、前記剛体部は前記操作軸と操作軸に係合される操作つまみにより保持されて、操作軸と一体となって上下動または傾動が行われるものである。
【０００９】
また、前記操作部品の操作軸の防水構造において、前記剛体部の内壁に形成された溝にガイドリングが嵌合しており、前記操作軸は先端小径部と基端大径部との段差を有し、前記先端小径部が前記ガイドリングの中心穴を挿通し、前記段差と操作つまみにより前記ガイドリングを回転自在に挾持したものである。
【００１０】
また、前記操作部品の操作軸の防水構造において、前記基端大径部の周囲に配置されたばねにより前記剛体部が自然位置に付勢されるものである。
【００１１】
また、この発明の操作部品の操作軸の防水構造は、回転操作の他に上下操作または傾動操作が可能な段差の形成された操作軸を有する操作部品の操作軸の防水構造において、前記操作軸に係合される操作つまみと水密に圧接されるシール部が設けられた内周部と、前記操作部品を内包するケース部材に水密に固定される外周部と、前記内周部と外周部を可動に連結する可撓部からなるゴム弾性部材により前記操作軸を挿通させる前記ケース部材の穴を防水し、前記内周部は厚肉の剛体部の内周にリブ形状のシール部が突出形成された形状であり、前記剛体部は前記操作軸の前記段差と操作軸に係合される操作つまみにより回転可能に保持されて、操作軸と一体となって上下動または傾動が行われるように構成されたものである。
【００１２】
また、前記各操作部品の操作軸の防水構造において、前記可撓部には放射方向断面Ｖ字形状部が形成されているものである。
【００１３】
また、同各操作部品の操作軸の防水構造において、前記可撓部には放射方向断面Ｕ字形または波形が形成されているものである。
【発明の効果】
【００１４】
この発明の操作部品の操作軸の防水構造によれば、操作部品の操作軸を回転操作や上下動作または傾動動作させることが可能である。
【図面の簡単な説明】
【００１５】
【図１】この発明の実施例１である回転操作部品の回転操作軸の防水構造を示す断面図である。
【図２】同回転操作部品の回転操作軸の防水構造の他の状態を示す断面図である。
【図３】この発明の実施例２である回転操作部品の回転操作軸の防水構造を示す断面図である。
【図４】この発明の実施例３である回転操作部品の回転操作軸の防水構造を示す断面図である。
【発明を実施するための形態】
【００１６】
以下この発明を実施するための最良の形態を実施例に即して説明する。
【実施例１】
【００１７】
図１はこの発明の実施例１である回転操作部品の回転操作軸の防水構造を示す断面図である。図１に示すプリント基板１は操作パネル２の背後に配置された図示していないシャーシに支持されており、マルチエンコーダディバイスである回転操作部品３が実装されている。
【００１８】
回転操作部品３の回転操作軸３ａは操作パネル２の開口部２ａから操作パネル２の外部に突出しており、回転操作つまみ５が固く嵌着されている。すなわち、回転操作軸３ａは先端小径部と基端大径部との段差を有しており、回転操作軸３ａの先端小径部は回転操作つまみ５のボス５ａの穴に嵌入され、ボス５ａ周囲に巻き回されたコイルばね５ｂによりボス５ａは回転操作軸３ａの先端小径部に圧接されている。
【００１９】
ガイドリング６は回転操作軸３ａの先端小径部を挿通して回転操作軸３ａの段差と回転操作つまみ５のボス５ａに回転可能に挾持されている。すなわち、ガイドリング６と回転操作つまみ５のボス５ａおよび回転操作軸３ａとの嵌合は緩く、ガイドリング６は回転操作軸３ａに対して定位置で回転可能となっている。
【００２０】
ゴムまたは合成ゴムで作られたゴム弾性部材７は厚肉の内周部７ａと外周部７ｂが薄肉の断面Ｖ字形状部を有する可撓部７ｃにより連結された構造であり、操作パネル２の開口部２ａを塞いでいる。
【００２１】
すなわち、ゴム弾性部材７の外周部７ｂは、図示していないねじで操作パネル２に締着された挟圧板４により操作パネル２の開口部２ａの縁に水密に圧接されており、ゴム弾性部材７の内周部７ａの内面に断面半円状に突出形成されたシール部７ｄが操作つまみ５のボス５ａの外周面に水密に圧接されている。
【００２２】
そして、ゴム弾性部材７の内周部７ａの内壁に形成された溝に、前記回転操作軸３ａに対して定位置で回転可能に支持されたガイドリング６が嵌合している。このため、ゴム弾性部材７の内周部７ａは回転操作軸３ａに対して定位置に維持される。
【００２３】
すなわち、回転操作軸３ａの傾動動作または上下動作に対して、ゴム弾性部材７の可撓部７ｃが変形するのみで、内周部７ａのシール部７ｄは回転操作軸３ａに対する位置は変わらずシール部７ｄの防水性能は良好に保たれる。
【００２４】
回転操作部品３は回転操作軸３ａの回転操作と傾動操作および上下動操作が可能である。回転操作軸３ａを傾動操作または上下動操作するときは、操作つまみ５を指で押すが、指を離すと、回転操作軸３ａが自然位置に付勢された力およびゴム弾性部材７の弾力により回転操作軸３ａは自然位置に戻される。
【００２５】
図２に回転操作軸３ａを傾動操作したときの状態を示している。このときゴム弾性部材７の可撓部７ｃのみが変形している。可撓部７ｃの変形はＶ字形状の挟角が周方向に変化する変形であるが、このような弾性変形により自然位置に戻す大きい力が得られる。
【実施例２】
【００２６】
図３はこの発明の実施例２である回転操作部品の回転操作軸の防水構造を示す断面図である。この例では、実施例１の回転操作軸の防水構造において、ガイドリング６と回転操作部品３の固定部の上面の間にコイルばね９が介装されている。他の構成は実施例１と同様であり、詳細な説明を省略する。
【００２７】
コイルばね９の上下端にコイル中心軸と垂直面を形成する座巻きが形成されており、ガイドリング６を水平状態となるように付勢する。回転操作軸３ａは傾動操作や上下動操作した後に、コイルばね９の弾力を受けて自然状態に確実に復帰する。
【実施例３】
【００２８】
図４はこの発明の実施例３である回転操作部品の回転操作軸の防水構造を示す断面図である。この例では、実施例１の回転操作軸の防水構造において、ガイドリング６が省かれ、ゴム弾性部材７がゴム弾性部材８に置き換えられている。他の構成は実施例１と同様であり、詳細な説明を省略する。
【００２９】
ゴム弾性部材８の内周部８ａには実施例１と同様のシール部８ｄが形成されており、シール部８ｄと同軸の中心孔を有する厚肉部８ｅが形成されている。厚肉部８ｅは実施例１と同様に外周部８ｂと可撓部８ｃにより連結されている。
【００３０】
厚肉部８ｅは弾性変形が殆ど生じない程度の厚さであり、実施例１のガイドリング６と同様に回転操作軸３ａに対して定位置で回転可能に支持されている。この例も実施例１と同様の作用効果が得られるが、部品点数が少なくなり、部品コストや組立て工数が削減されるという実施例３特有の効果を奏する。
【００３１】
上記各実施例では、回転操作部品３が実装されたプリント基板１の上にゴム弾性部材が締着された操作パネル２等を順次上から重ねるように組み付けるだけで組み立てが完了して組み立て作業が極めて簡単である。
【００３２】
実施例は以上のように構成されているが発明はこれに限られず、例えば、回転操作を行わず、傾動操作や上下動操作のみ行う操作部品にこの発明を適用することもできる。
【００３３】
また、ゴム弾性部材の可撓部に、Ｖ字形状の代わりにＵ字形状や波形形状を滑らかに形成してもよい。このような構成によると、応力集中が小さくなり長期間使用しても破損する恐れがなくなる。
【００３４】
また、ゴム弾性部材の内周部形成した溝にＯリングを嵌着することにより、シール部を形成してもよい。このような構成によりシール部やゴム弾性部材の他の部分の硬度を機能部品としての最適硬度に設定することができる。
【産業上の利用可能性】
【００３５】
電子機器に傾動操作や上下動操作可能な操作部品を使用した場合に操作部品の軸回りの防水が可能となる。
【符号の説明】
【００３６】
１  プリント基板
２  操作パネル、２ａ  開口部
３  回転操作部品、３ａ  回転操作軸
４  挟圧板
５  回転操作つまみ、５ａ  ボス、５ｂ  コイルばね
６  ガイドリング
７  ゴム弾性部材、７ａ  内周部、７ｂ  外周部、７ｃ  可撓部、７ｄ  シール部
８  ゴム弾性部材、８ａ  内周部、８ｂ  外周部、８ｃ  可撓部、８ｄ  シール部
８ｅ  厚肉部
９  コイルばね
【図１】
2010160992.tif 000003
【図２】
2010160992.tif 000004
【図３】
2010160992.tif 000005
【図４】
2010160992.tif 000006